(57)【要約】【課題】ＤＲＣＳを解析するために必要な解析装置が不要となり、外字文字を確認する際の簡素化を図る。【解決手段】本発明の字幕変換装置１０は、字幕素材データに普通文字でない外字文字が含まれているか否かを判定する判定部１１と、判定部１１により外字文字が含まれていると判定された場合、この外字文字に対応する代替文字を普通文字の中から抽出する抽出部１２と、外字文字を抽出部１２により抽出された代替文字に置換する置換部１３と、置換部１３により置換された代替文字を含む字幕素材データを出力する出力部１４と、を具備して構成される。【選択図】      図１
2016071385.tif 000002
【特許請求の範囲】
【請求項１】
字幕素材データに符号が対応付けられた文字でない特定文字が含まれているか否かを判定する判定手段と、
前記判定手段により前記特定文字が含まれていると判定された場合、この特定文字に対応する文字として、符号が対応付けられた文字の中から抽出する抽出手段と、
前記特定文字を、前記抽出手段により抽出された符号が対応付けられた文字に置換する置換手段と、
前記置換手段により置換された符号が対応付けられた文字を含む字幕素材データを出力する出力手段と、を具備する字幕変換装置。
【請求項２】
前記出力手段は、
出力先の頁サイズを参照する頁サイズ参照手段と、
前記頁サイズ参照手段により参照した頁サイズが所定の頁サイズよりも大きいか否かを判定する頁サイズ判定手段と、を具備し、
前記頁サイズ判定手段により所定の頁サイズよりも大きいと判定した場合には、代替文字を出力する、請求項１記載の字幕変換装置。
【請求項３】
前記特定文字が、前記置換手段により符号が対応付けられた文字に置換された場合には、前記特定文字に係る情報を削除する削除手段をさらに具備する請求項１又は２記載の字幕変換装置。
【請求項４】
前記特定文字が、前記置換手段により符号が対応付けられた文字に置換された場合には、この置換されたことを示す識別情報を置換された文字に付与する識別情報付与手段をさらに具備する請求項１乃至３の何れか一項に記載の字幕変換装置。
【請求項５】
字幕素材データに符号が対応付けられた文字でない特定文字が含まれているか否かを判定し、
前記特定文字が含まれていると判定した場合には、この特定文字に対応する文字として、符号が対応付けられた文字の中から抽出し、
前記外字文字を、抽出した符号が対応付けられた文字に置換し、
置換した符号が対応付けられた文字を含む字幕素材データを出力する、字幕変換方法。
【請求項６】
出力先の頁サイズを参照し、
参照した前記頁サイズが所定の頁サイズよりも大きいか否かを判定し、
所定の頁サイズよりも大きいと判定した場合に符号が対応付けられた文字を出力する、請求項５記載の字幕変換方法。
【請求項７】
前記特定文字が、符号が対応付けられた文字に置換された場合には、前記特定文字に係る情報を削除する、請求項５又は６記載の字幕変換方法。
【請求項８】
前記特定文字が、符号が対応付けられた文字に置換された場合には、この符号が対応付けられた文字に置換されたことを示す識別情報を付与する、請求項５乃至７の何れか一項に記載の字幕変換方法。
【発明の詳細な説明】
【技術分野】
【０００１】
本発明は、字幕変換装置及び字幕変換方法に関する。
【背景技術】
【０００２】
近年、地上ディジタル放送では、番組内に台詞、コメント等を字幕として表示するサービス、いわゆる、字幕放送サービスが行われている。ここで、字幕を表示するための字幕素材データには、８単位文字符号集合が使用されている。この８単位文字符号集合は、漢字系集合、英数集合、平仮名集合、片仮名集合等によって文字が指定されている。ただし、この８単位文字符号集合の漢字系集合は、常用漢字のみ定義され、旧漢字等の特殊漢字については定義されていない。
【０００３】
このため、旧漢字等の特殊漢字については、外字符号を用いてビット配列パターンデータとして定義し、受信機に送出することで、受信機でビット配列パターンデータが登録される。そして、受信機は、表示時にビット配列パターンデータを指定位置に表示することで、画面上にビット配列パターンデータを表示している。これにより、受信機は、特殊漢字を表示することが可能になる。
【０００４】
ビット配列パターンデータを表示する技術に関し、例えば、特許文献１には、字幕情報解析装置および字幕情報解析方法が開示されている。この特許文献１記載の技術は、ＤＲＣＳを用いて外字文字を表示している。なお、「ＤＲＣＳ」とは、「Ｄｙｎａｍｉｃ  Ｒｅ−ｄｅｆｉｎａｂｌｅ  Ｃｈａｒａｃｔｅｒ  Ｓｅｔ」の略である。
【先行技術文献】
【特許文献】
【０００５】
【特許文献１】特開２０１０−２８３５６８号公報
【発明の概要】
【発明が解決しようとする課題】
【０００６】
しかしながら、上記特許文献１記載の技術は、上述したように、ＤＲＣＳを用いている。このＤＲＣＳは、ビット配列パターンデータであり、文字コードでないため、このビット配列パターンデータをパソコン等で確認する場合、専用の字幕機器（字幕制作装置、字幕プレビュー装置）が必要となる。
【０００７】
これにより、上記特許文献１記載の技術は、外字文字をパソコン等で確認する場合に、専用の字幕機器を要するため、コスト高となってしまうという課題がある。
【０００８】
そこで、本発明の目的は、ＤＲＣＳを解析するために必要な専用の字幕機器が不要となり、外字文字をパソコン等で確認する際におけるコストの低減を図ることが可能な字幕変換装置及び字幕変換方法を提供することにある。
【課題を解決するための手段】
【０００９】
上記目的を達成するために、本発明に係る字幕変換装置は、字幕素材データに符号が対応付けられた文字でない特定文字が含まれているか否かを判定する判定手段と、上記判定手段により上記特定文字が含まれていると判定された場合、この特定文字に対応する文字として、符号が対応付けられた文字の中から抽出する抽出手段と、上記特定文字を、上記抽出手段により抽出された符号が対応付けられた文字に置換する置換手段と、上記置換手段により置換された符号が対応付けられた文字を含む字幕素材データを出力する出力手段と、を具備して構成される。
【００１０】
上記目的を達成するために、本発明に係る字幕変換方法は、字幕素材データに符号が対応付けられた文字でない特定文字が含まれているか否かを判定し、上記特定文字が含まれていると判定した場合には、この特定文字に対応する文字として、符号が対応付けられた文字の中から抽出し、上記外字文字を、抽出した符号が対応付けられた文字に置換し、置換した符号が対応付けられた文字を含む字幕素材データを出力する、ことを特徴とする。
【発明の効果】
【００１１】
本発明によれば、ＤＲＣＳを解析するために必要な専用の字幕機器が不要となり、外字文字をパソコン等で確認する際におけるコストの低減を図ることができる。
【図面の簡単な説明】
【００１２】
【図１】本発明の一実施形態（第１の実施形態）に係る字幕変換装置の内部構成を示す内部構成図である。
【図２】本発明の一実施形態（第１の実施形態）に係る字幕変換装置に実行させる処理を示すフローチャートである。
【図３】本発明の他の実施形態（第２の実施形態）の概略を示す概略図である。
【図４】本発明の他の実施形態（第２の実施形態）に係る字幕ファイル交換フォーマットの字幕素材データのデータ構造の一例を示す図である。
【図５】本発明の他の実施形態（第２の実施形態）に係る字幕送出処理を示すフローチャートである。
【図６】本発明の他の実施形態（第２の実施形態）に係る字幕表示処理を示すフローチャートである。
【発明を実施するための形態】
【００１３】
以下、図面を用いて、本発明の実施形態について説明する。
【００１４】
（第１の実施形態）
図１及び図２を用いて、本発明の一実施形態（第１の実施形態）について説明する。まず、図１を用いて、本実施形態に係る字幕変換装置１０の構成について説明する。図１は、本実施形態（第１の実施形態）に係る字幕変換装置１０の内部構成を示す内部構成図である。
【００１５】
図１に例示されるように、本実施形態の字幕変換装置１０は、判定部１１、抽出部１２、置換部１３及び出力部１４を具備している。この判定部１１は、字幕素材データに符号が対応付けられた文字（以下、普通文字という）でない特定文字（以下、外字文字という）が含まれているか否かを判定する処理を行う。ここで、普通文字とは、一般的に使用されている常用漢字をいう。また、外字文字とは、人名、地名等に使用されている旧漢字等の特殊漢字をいう。
【００１６】
抽出部１２は、判定部１１により字幕素材データに外字文字が含まれていると判定された場合、この外字文字に対応する代替文字を、普通文字の中から抽出する処理を行う。一例を示すと、抽出部１２は、判定部１１により旧漢字の「▼高▲」が含まれていると判定された場合、現在漢字の「高」を抽出する処理を行う。
【００１７】
置換部１３は、外字文字を抽出部１２により抽出された代替文字に置換する処理を行う。そして、出力部１４は、置換部１３により置換された代替文字を含む字幕素材データを出力する処理を行う。
【００１８】
ここで、従来、字幕素材データに外字文字が含まれている場合、字幕素材データの作成者が字幕変換装置にＤＲＣＳと称されるデータを登録している。このように、ＤＲＣＳを読み出し、外字文字を表示すると、この外字文字をパソコン等で確認する場合に、専用の字幕機器等を要するため、部品手数が増大し、コスト高となるからである。
【００１９】
これに対し、本実施形態の字幕変換装置１０は、上述したように、字幕素材データに外字文字が含まれている場合、この外字文字に対応する代替文字を普通文字の中から抽出し、置換する処理を行う。
【００２０】
すなわち、本実施形態では、字幕素材データに外字文字が含まれている場合、本実施形態では、ＤＲＣＳを用いずに、普通文字の中から代替文字に変換することが可能になる。
【００２１】
よって、本実施形態では、ＤＲＣＳを用いずに、外字文字を普通文字に変換することで、ＤＲＣＳを解析するために必要な専用の字幕機器が不要になり、外字文字をパソコン等で確認する際におけるコストの低減を図ることができる。
【００２２】
（字幕変換方法）
次に、図２を用いて、本実施形態に係る字幕変換装置１０に実行させる処理（字幕変換方法）について説明する。図２は、本実施形態（第１の実施形態）に係る字幕変換装置１０に実行させる処理を示すフローチャートである。
【００２３】
ステップＳ１において、字幕変換装置１０は、字幕素材データに普通文字でない外字文字が含まれているか否かを判定する処理を行う。この処理において、字幕変換装置１０は、外字文字が含まれていると判定した場合には、ステップＳ２に処理を移す。一方、この処理において、字幕変換装置１０は、外字文字が含まれていないと判定した場合には、ステップＳ４に処理を移す。
【００２４】
ステップＳ２において、字幕変換装置１０は、上記ステップＳ１にて字幕素材データに外字文字が含まれていると判定した場合には、この外字文字に対応する代替文字を普通文字の中から抽出する処理を行う。
【００２５】
ステップＳ３において、字幕変換装置１０は、外字文字を上記ステップＳ２にて抽出した代替文字に置換する処理を行う。
【００２６】
ステップＳ４において、字幕変換装置１０は、上記ステップＳ３にて置換した代替文字を含む字幕素材データを出力する処理を行う。なお、この処理において、字幕変換装置１０は、上記ステップＳ１にて字幕素材データに外字文字が含まれていないと判定した場合には、この字幕素材データをそのまま出力する処理を行う。
【００２７】
このように、本実施形態では、字幕素材データに外字文字が含まれている場合、本実施形態では、ＤＲＣＳを用いずに、普通文字の中から代替文字に変換することが可能になる。
【００２８】
よって、本実施形態では、ＤＲＣＳを用いずに、外字文字を普通文字に変換することで、ＤＲＣＳを解析するために必要な専用の字幕機器が不要になり、外字文字をパソコン等で確認する際におけるコストの低減を図ることができる。
【００２９】
（第２の実施形態）
図３乃至図６を用いて、本発明の他の実施形態（第２の実施形態）について説明する。まず、図３を用いて、本実施形態の概略について説明する。図３は、本実施形態（第２の実施形態）の概略を示す概略図である。
【００３０】
図３では、本実施形態の概略として、後述する図４に示すディジタル字幕ファイル交換フォーマットで規定された字幕素材データの制作から送出までの流れを示している。図３に例示されるように、本実施形態は、字幕素材データを制作する字幕制作部１１０、及び字幕素材データを基にして、字幕パケットの送出を行う字幕送出部１２０を具備している。
【００３１】
字幕制作部１１０は、字幕入力部１１１、外字符号登録部１１２及び字幕素材ファイル作成部１１３を具備している。この字幕入力部１１１は、字幕素材データを入力する処理を行う。具体的には、この字幕入力部１１１は、字幕素材データの制作時に、ＧＵＩ上に画面イメージの入力エリアが表示されると、制作者の操作により入力エリア上における表示したい位置に字幕素材データを入力する処理を行う。なお、「ＧＵＩ」とは、「Ｇｒａｐｈｉｃａｌ  Ｕｓｅｒ  Ｉｎｔｅｒｆａｃｅ」の略である。
【００３２】
外字符号登録部１１２は、字幕入力部１１１にて字幕素材データを入力する処理が行われる際に、この字幕素材データに外字文字が含まれている場合、この外字文字を登録する処理を行う。字幕素材ファイル作成部１１３は、字幕素材データを作成する処理を行う。このとき、字幕制作部１１０では、作成された字幕素材データにて外字文字の簡易プレビューが可能となる。字幕素材データの簡易プレビューとは、字幕素材データの内容を確認するために字幕本文をテキスト表示する処理を行う。なお、この簡易プレビュー処理については、図６を用いて後述する。
【００３３】
字幕送出部１２０は、字幕素材パケット化処理部１２１を具備している。そして、字幕素材パケット化処理部１２１は、字幕ページデータサイズチェック部１２２、代替文字付替処理部１２３及び字幕ページデータパケット化処理部１２４を具備している。
【００３４】
字幕ページデータサイズチェック部１２２は、字幕ページデータのデータ量を確認する処理を行う。ここで、字幕ページデータのデータ量が、送出レートに対して大きいか否かを判断している。そして、判断する場合とは、送出レートの単位時間あたりに送出可能なデータサイズに対し、字幕ページデータのサイズ量を送出するまでにかかる時間が所定の時間よりも長い場合をいう。
【００３５】
代替文字付替処理部１２３は、外字文字を代替文字に付け替える処理を行う。字幕ページデータパケット化処理部１２４は、字幕ページデータの送出パケット化を実行する処理を行う。そして、字幕送出部１２０は、字幕ページデータパケット化処理部１２４にて字幕ページデータがパケット化されると、この字幕パケットデータを送出する処理を行う。なお、この字幕パケットデータ送出処理については、図５を用いて後述する。
【００３６】
（ディジタル字幕ファイル変換フォーマット）
次に、図４を用いて、ディジタル字幕ファイル変換フォーマットの一例について説明する。図４は、本実施形態（第２の実施形態）に係る字幕ファイル交換フォーマットの字幕素材データのデータ構造の一例を示す図である。
【００３７】
なお、本実施形態において、図４に示す字幕ファイル変換フォーマットにおける主たる特徴は、図４に示すユーザーズエリアの中に、外字文字集合の外字符号と、この外字符号に対応する代替文字を格納する点である。このため、ユーザーズエリア以外については、周知の技術であるため、簡易的な説明に留め、詳細な説明を省略する。
【００３８】
図４に示す字幕ファイル変換フォーマットは、２５６バイト毎、ここでは、一行毎の論理ブロックで区切られたバイナリ形式のファイルとなっている。そして、各論理ブロックのうち、一行目の論理ブロックには、字幕データラベル及び予約領域が指定されている。
【００３９】
図４に示す字幕データラベルは、字幕素材の対応メディアを識別するラベルである。対応メディアの一例を示すと、字幕データラベルが「ＤＣＡＰＴＩＯＮ」である場合、地上波ディジタル用字幕データを識別するラベルである。また、字幕データラベルが「ＢＣＡＰＴＩＯＮ」である場合、ＢＳ／ＣＳディジタル用字幕データを識別するラベルであり、「ＭＣＡＰＴＩＯＮ」である場合、携帯端末用字幕データを識別するラベルである。また、図４に示す予約領域は、将来の拡張のための領域である。なお、「ＢＳ」は、「Ｂｒｏａｄｃａｓｔｉｎｇ  Ｓａｔｅｌｌｉｔｅ」の略である。また、「ＣＳ」は、「Ｃｏｍｍｕｎｉｃａｔｉｏｎ  Ｓａｔｅｌｌｉｔｅ」の略である。
【００４０】
また、二行目及び三行目の論理ブロックには、ファイル全体の情報として字幕の番組管理情報が指定されている。図４に示す番組管理情報は、番組の番組データに付加する運用情報である。番組管理情報は、指定項目よりなる固定長エリアと、可変長のユーザーズエリアとで構成される。この番組管理情報は、二行目の論理ブロックの先頭に位置するＬＩにてデータの長さが指定される。なお、後述する四行目からｎ行目の論理ブロックのページ単位の先頭にもＬＩが位置し、ページ単位のデータの長さが指定される。この「ＬＩ」とは、「Ｌｅｎｇｔｈ  Ｉｎｄｉｃａｔｏｒ」の略である。
【００４１】
四行目からｎ行目の論理ブロックには、字幕素材データのページ単位の情報として、ページ管理情報、字幕文ページ管理データ及び字幕文データが指定されている。
【００４２】
ページ管理情報は、番組のページデータに付加する運用情報である。ページ管理情報は、指定項目によりなる固定長エリアと、可変長のユーザーズエリアとから構成される。ページ管理情報は、ラベル２Ａ、ＤＬにより、情報の種別、データの長さが指定される。なお、「ＤＬ」は、「Ｄａｔａ  Ｌｅｎｇｔｈ」の略である。
【００４３】
字幕文ページ管理データは、言語種別等を示す情報である。また、字幕文データは、字幕文データヘッダーと、字幕データユニットとから構成される字幕本文の情報である。なお、字幕文ページ管理データは、ラベル３Ａ、ＤＬ１により、情報の種別、データの長さが指定され、字幕文データは、ラベル４Ａ、ＤＬ２により、情報の種別、データの長さが指定される。
【００４４】
本実施形態において、ページ管理情報は、主に、ページナンバー及びユーザーズエリアから構成される。なお、ページ管理情報は、ページナンバー及びユーザーズエリアの他に、例えば、ページ素材種別、送出タイミング種別、タイミング単位指定、送出タイミング、消去タイミング等から構成される。
【００４５】
ページナンバーについては、周知の技術であるため、その説明を省略する。ユーザーズエリアは、このユーザーズエリアの中に、外字符号集合の外字符号と、この外字符号に対応する代替文字を格納している。
【００４６】
（字幕パケットデータ送出処理）
次に、図５を用いて、字幕パケットデータ送出処理について説明する。図５は、本実施形態（第２の実施形態）に係る字幕パケットデータ送出処理を示すフローチャートである。この字幕パケットデータ送出処理では、字幕送出部１２０にて字幕ページデータをパケット化させ、パケット化された字幕パケットデータが送出される。
【００４７】
この処理において、字幕送出部１２０は、送出する字幕パケットデータの生成時に、送出する字幕ページデータのサイズを確認する。この字幕ページデータのサイズが、送出レートに対して大きいと判断した場合は、外字符号を代替文字に置き換え、字幕文データエリアより対象の外字符号のビット配列パターンデータを削除する。これにより送出する字幕ページデータのサイズを小さくすることが可能である。
【００４８】
ここで、字幕ページデータのサイズが、送出レートに対して大きいと判断する場合とは、送出レートの単位時間あたりに送出可能なデータサイズに対し、ページデータサイズを送出するまでにかかる時間が所定の時間よりも長い場合をいう。
【００４９】
ステップＳ１１０において、字幕送出部１２０は、字幕ページデータを字幕制作部１１０から抽出する。なお、字幕ページデータは、ページ管理情報、字幕文ページ管理データ及び字幕文データから構成される。この処理において、字幕送出部１２０は、図４に示すディジタル字幕ファイル変換フォーマットから字幕ページデータを抽出する処理を行う。
【００５０】
ステップＳ１２０において、字幕送出部１２０は、上記ステップＳ１００にて抽出した字幕ページデータのデータ量を確認する処理を行う。これにより、この処理において、字幕送出部１２０は、送出する字幕ページデータのデータ量が送出レートに対し、大きいか否かを把握することが可能になる。ここで、字幕ページデータのサイズが、送出レートに対して大きいと判断する場合とは、上述したように、送出レートの単位時間あたりに送出可能なデータサイズに対し、ページデータサイズを送出するまでにかかる時間が所定の時間よりも長い場合をいう。
【００５１】
ステップＳ１３０において、字幕送出部１２０は、上記ステップＳ１１０にて抽出した字幕ページデータが外字符号集合付替え対象であるか否かを確認する処理を行う。なお、本実施形態では、上記ステップＳ１２０にてデータ量が送出レートよりも大きい場合に、外字符号文字を代替文字に差し替えるようにしているが、これに限定されず、データ量の大小にかかわらず、外字符号文字を代替文字に差し替えるようにしても良い。
【００５２】
ステップＳ１４０において、字幕送出部１２０は、外字符号集合付替対象であるか否かを判定する。この処理において、字幕送出部１２０は、外字符号集合付替対象であると判定した場合には、ステップＳ１５０に処理を移す。一方、この処理において、字幕送出部１２０は、外字符号集合付替対象でないと判定した場合には、今回の字幕パケットデータ送出処理を終了する。
【００５３】
ステップＳ１５０において、字幕送出部１２０は、外字符号文字の代替文字差替処理を行う。この処理において、字幕送出部１２０は、外字符号文字を代替文字に差し替える処理を行う。
【００５４】
ステップＳ１６０において、字幕送出部１２０は、外字文字集合パターンデータの削除を行う。このように、この処理において、字幕送出部１２０は、外字文字集合パターンデータを削除しているため、出力するサイズの軽減を図ることが可能になる。
【００５５】
ステップＳ１７０において、字幕送出部１２０は、字幕ページの送出パケット化を実行する。
【００５６】
（字幕素材データの簡易プレビュー処理）
次に、図６を用いて、字幕素材データの簡易プレビュー処理について説明する。図６は、本実施形態（第２の実施形態）に係る字幕素材データの簡易プレビュー処理を示すフローチャートである。この処理において、字幕素材データの簡易プレビューとは、上述したように、字幕素材データの内容を確認するために字幕本文をテキスト表示する処理を行う。この処理では、字幕素材データの内容を確認するために、字幕文データエリアより字幕本文の内容を抽出し、８単位文字符号からパソコンに表示可能な文字コードに変換して出力することによりプレビューを行う。
【００５７】
ステップＳ２１０において、字幕制作部１１０は、字幕ページデータを抽出する。なお、字幕ページデータは、上述したように、ページ管理情報、字幕文ページ管理データ及び字幕文データから構成される。この処理において、字幕制作部１１０は、上述したように、図４に示すディジタル字幕ファイル変換フォーマットから字幕ページデータを抽出する処理を行う。
【００５８】
ステップＳ２２０において、字幕制作部１１０は、上記ステップＳ２１０にて抽出した字幕ページデータの字幕文データに外字文字が含まれているか否かを確認する処理を行う。
【００５９】
ステップＳ２３０において、字幕制作部１１０は、字幕文データに外字文字が含まれているか否かを判定する。この処理において、字幕制作部１１０は、字幕文データに外字文字が含まれていると判定した場合には、ステップＳ２４０に処理を移す。一方、この処理において、字幕制作部１１０は、字幕文データに外字文字が含まれていないと判定した場合には、今回の処理を終了する。
【００６０】
ステップＳ２４０において、字幕制作部１１０は、外字文字を代替文字に置換する処理を行う。また、この処理において、字幕制作部１１０は、置換した代替文字に識別情報を付与する処理を行う。ここで、識別情報とは、代替文字に置換されたこを示す情報である。一例を示すと、置換された代替文字を括弧で囲むようにしている。
【００６１】
ステップＳ２５０において、字幕制作部１１０は、変換処理を行う。この処理において、字幕制作部１１０は、８単位文字符号からパソコンに表示可能な文字コードに変換する処理を行う。
【００６２】
このように、本実施形態では、外字符号集合が含まれている場合、ユーザーズエリアに指定された代替文字コードに置き換えてから変換を行う。これにより、本実施形態では、外字符号集合が含めている場合であっても、この外字符号にて指定された文字についても内容の判断が可能となる。また、本実施形態では、置き換えた文字については、例えば、括弧で囲むことで、置き換えたことが判断できる。
【００６３】
よって、本実施形態によれば、ＤＲＣＳを用いずに、外字文字を普通文字に変換することで、ＤＲＣＳを解析するための専用の解析装置が不要となり、外字文字を確認する際の簡素化を図ることができる。
【符号の説明】
【００６４】
１０    字幕変換装置
１１    判定部
１２    抽出部
１３    置換部
１４    出力部
【図１】
2016071385.tif 000003
【図２】
2016071385.tif 000004
【図３】
2016071385.tif 000005
【図４】
2016071385.tif 000006
【図５】
2016071385.tif 000007
【図６】
2016071385.tif 000008